(57)【要約】【課題】電力線を利用した通信において、電力線からの漏洩電磁波による既存のシステムへの影響を低減させる。【解決手段】送信信号Ｓtを送信信号増幅部１２で増幅し、送信信号変換部１３で通信信号ＳＰtに変換して、対を成す導体３１，３２例えば電力線に注入する。導体３１，３２からの入力信号ＳＰrを入力信号変換部１４で受信信号Ｓrに変換する。受信信号処理部１５は、受信信号Ｓrの信号レベルに応じたレベル検出信号ＬＥを生成する。出力レベル制御部１７は、通信状態信号ＭＳで通信が行われていないことが示されているときに受信信号処理部１５で生成されたレベル検出信号ＬＥに基づいて利得制御信号ＧＣを生成し、この信号で送信信号増幅部１２の利得を制御する。通信が行われていないときのレベル検出信号ＬＥは外部雑音レベルを示し、外部雑音レベルが大きいときには、利得を高くして信号ＳＰtの信号レベルを大きくする。【選択図】        図１
2006311354.tif 000002
【特許請求の範囲】
【請求項１】
送信信号の増幅を行う送信信号増幅部と、
前記送信信号増幅部の利得を制御する出力レベル制御部と、
前記送信信号増幅部で増幅された送信信号を、対を成す導体に注入する通信信号に変換する送信信号変換部と、
前記対を成す導体から供給される入力信号を受信信号に変換する入力信号変換部と、
前記受信信号の信号レベルに応じたレベル検出信号を生成する受信信号処理部とを有し、
前記対を成す導体を介した通信が行われているか否かを示す通信状態信号を前記出力レベル制御部に供給し、前記出力レベル制御部では、前記通信状態信号で通信が行われていないことが示されているときに前記受信信号処理部で生成されたレベル検出信号に基づいて、前記送信信号増幅部の利得を制御する
ことを特徴とする通信装置。
【請求項２】
前記受信信号処理部は、前記受信信号を所定のレベルに増幅して出力し、該受信信号を所定のレベルに増幅する際の利得に基づいて前記レベル検出信号を生成する
ことを特徴とする請求項１記載の通信装置。
【請求項３】
前記出力レベル制御部は、前記送信信号増幅部で設定されている利得に応じた信号レベルよりも、前記レベル検出信号によって示される前記受信信号の信号レベルが大きいときは前記利得を大きくし、前記受信信号の信号レベルが小さいときは前記利得を小さくする
ことを特徴とする請求項１記載の通信装置。
【請求項４】
送信信号の増幅を行う送信信号増幅工程と、
前記送信信号増幅工程で増幅された送信信号を、対を成す導体に注入する通信信号に変換する送信信号変換工程と、
前記対を成す導体から供給される入力信号を受信信号に変換する入力信号変換工程と、
前記受信信号の信号レベルに応じたレベル検出信号を生成する受信信号処理工程と、
前記対を成す導体を介した通信が行われていないときに前記受信信号処理工程で生成されたレベル検出信号に基づいて、前記送信信号増幅工程での利得を制御する出力レベル制御工程とを有する
ことを特徴とする通信方法。
【請求項５】
電力線を利用して通信を行う電力線搬送通信システムにおいて、
前記電力線に通信信号を注入する通信装置は、
送信信号の増幅を行う送信信号増幅部と、
前記送信信号増幅部の利得を制御する出力レベル制御部と、
前記送信信号増幅部で増幅された送信信号を前記通信信号に変換する送信信号変換部と、
前記電力線から供給される入力信号を受信信号に変換する入力信号変換部と、
前記受信信号の信号レベルに応じたレベル検出信号を生成する受信信号処理部とを有し、
前記電力線を介した通信が行われているか否かを示す通信状態信号を前記出力レベル制御部に供給し、前記出力レベル制御部では、前記通信状態信号で通信が行われていないことが示されているときに前記受信信号処理部で生成されたレベル検出信号に基づいて、前記送信信号増幅部の利得を制御する
ことを特徴とする電力線搬送通信システム。
【請求項６】
送信信号の増幅を行う送信信号増幅部と、
前記送信信号増幅部の利得を制御する出力レベル制御部と、
前記送信信号増幅部で増幅された送信信号を、対を成す導体に注入する通信信号に変換する送信信号変換部と、
前記対を成す導体から供給される入力信号を受信信号に変換する入力信号変換部と、
アンテナと、
前記入力信号変換部からの受信信号あるいは前記アンテナからの受信信号を選択する信号選択部と、
前記信号選択部で選択された受信信号の信号レベルに応じたレベル検出信号を生成する受信信号処理部とを有し、
前記対を成す導体を介した通信が行われているか否かを示す通信状態信号を前記信号選択部と前記出力レベル制御部に供給し、
前記信号選択部では、前記通信状態信号で通信が行われていないことが示されているとき前記アンテナからの受信信号を選択し、
前記出力レベル制御部では、前記通信状態信号で通信が行われていないことが示されているときに前記受信信号処理部で生成されたレベル検出信号に基づいて、前記送信信号増幅部の利得を制御する
ことを特徴とする通信装置。
【請求項７】
前記受信信号処理部は、前記受信信号を所定のレベルに増幅して出力し、該受信信号を所定のレベルに増幅する際の利得に基づいて前記レベル検出信号を生成する
ことを特徴とする請求項６記載の通信装置。
【請求項８】
前記出力レベル制御部は、前記送信信号増幅部で設定されている利得に応じた信号レベルよりも、前記レベル検出信号によって示される前記受信信号の信号レベルが大きいときは前記利得を大きくし、前記受信信号の信号レベルが小さいときは前記利得を小さくする
ことを特徴とする請求項６記載の通信装置。
【請求項９】
送信信号の増幅を行う送信信号増幅工程と、
前記送信信号増幅工程で増幅された送信信号を、対を成す導体に注入する通信信号に変換する送信信号変換工程と、
前記対を成す導体から供給される入力信号を受信信号に変換する入力信号変換工程と、
前記対を成す導体を介した通信が行われていないとき、前記入力信号変換工程からの受信信号に代えてアンテナからの受信信号を選択する信号選択工程と、
前記信号選択工程で選択された受信信号の信号レベルに応じたレベル検出信号を生成する受信信号処理工程と、
前記対を成す導体を介した通信が行われていないときに前記受信信号処理工程で生成されたレベル検出信号に基づいて、前記送信信号増幅工程での利得を制御する出力レベル制御工程とを有する
ことを特徴とする通信方法。
【請求項１０】
電力線を利用して通信を行う電力線搬送通信システムにおいて、
前記電力線に通信信号を注入する通信装置は、
送信信号の増幅を行う送信信号増幅部と、
前記送信信号増幅部の利得を制御する出力レベル制御部と、
前記送信信号増幅部で増幅された送信信号を前記通信信号に変換する送信信号変換部と、
前記電力線から供給される入力信号を受信信号に変換する入力信号変換部と、
アンテナと、
前記入力信号変換部からの受信信号あるいは前記アンテナからの受信信号を選択する信号選択部と、
前記信号選択部で選択された受信信号の信号レベルに応じたレベル検出信号を生成する受信信号処理部とを有し、
前記電力線を介した通信が行われているか否かを示す通信状態信号を前記信号選択部と前記出力レベル制御部に供給し、
前記信号選択部では、前記通信状態信号で通信が行われていないことが示されているとき前記アンテナからの受信信号を選択し、
前記出力レベル制御部では、前記通信状態信号で通信が行われていないことが示されているときに前記受信信号処理部で生成されたレベル検出信号に基づいて、前記送信信号増幅部の利得を制御する
ことを特徴とする電力線搬送通信システム。
【発明の詳細な説明】
【技術分野】
【０００１】
この発明は、通信装置と通信方法および電力線搬送通信システムに関する。詳しくは、対を成す導体例えば電力線を伝送線路として利用する場合、通信が行われていないときに、電力線から供給される入力信号を変換して得られた受信信号やアンテナで得られた受信信号から雑音レベルを検出して、この雑音レベルに応じて電力線に注入する通信信号の信号レベルを制御するものである。
【背景技術】
【０００２】
近年、コンピュータ装置等の電子機器の普及に伴い、電子機器間で通信を行うことができるようにネットワークが構築されている。このネットワークでは、通信用の専用線が用いられるだけでなく、電波や光等を用いた無線通信を行うことでネットワークを構築することも行われている。
【０００３】
ところで、通信用の専用線を用いる場合、建物の構造等の問題から専用線を容易に設けることができない場合がある。また、無線通信を行う場合、遮蔽物等が無線信号の伝送路に設けられていたり、電子機器間の距離が離れすぎていると、通信を行うことができない場合が生ずる。このため、例えば商用周波数の電力供給に用いられている電力線を利用した通信、すなわち電力線搬送通信を行うことで、新たな伝送線路を敷設することなく容易にネットワークを構築することが可能となる。
【０００４】
このような電力線搬送通信において、高速通信を行うために１．７ＭＨｚ（あるいは２ＭＨｚ）〜３０ＭＨｚの周波数帯を用いる場合、ＥＭＣ(Electro-Magnetic Compatibility)の問題、例えば伝送線路の不平衡によって生じた漏洩電磁波が、放送やアマチュア無線などの既存システムに悪影響を与えてしまうという問題が懸念されている。このため、漏洩電磁波を低減したり伝送線路への混入雑音による性能の劣化を防止する提案がなされている。
【０００５】
図５は、電力線搬送通信に用いる従来の通信装置の構成を示している。なお、図５に示す通信装置５０では、送信部分のみを示している。送信データＴＤは、変調部５１で変調されたのち増幅部５２で所定レベルに増幅されて不平衡−平衡変換部５３で平衡データに変換される。この平衡データは、例えば特許文献１の発明のように送信信号制御部５４に入力され、その後、送信信号監視部５５を経由して導体６１，６２に注入される。
【０００６】
ここで、送信信号監視部５５は、実際に導体６１，６２に注入された電圧値または電流値またはその両方の値を監視して、実際に導体６１，６２に注入された信号レベルを送信信号制御部５４にフィードバックする。送信信号制御部５４は、送信信号監視部５５からのフィードバック信号に基づき、実際に導体６１，６２に注入された信号の平衡度が向上するように、電圧または電流またはその両方の制御を行う。
【０００７】
このようなフィードバック制御によって平衡度を向上させることができるので、電力線からの漏洩電磁波が少なくなりＥＭＣ問題を低減することが可能となる。
【０００８】
【特許文献１】特開２００４−１４０５６５号公報
【発明の開示】
【発明が解決しようとする課題】
【０００９】
ところで、通信を行うことを考慮されていない伝送線路、例えば電力線のように対を成す導体を用いて通信を行う場合、伝送線路にはインピーダンスマッチングが考慮されない分岐が随所に存在している。このため、伝送線路は複雑な周波数特性を持ち、伝送周波数帯域全体で平衡度を高めることはかなり困難である。
【００１０】
そこで、この発明では、電力線のように対を成す導体を用いて通信を行う場合に、伝送線路からの漏洩磁波による既存システムへの影響を容易に低減できる通信装置と通信方法および電力線搬送通信システムを提供するものである。
【課題を解決するための手段】
【００１１】
この発明に係る通信装置と通信方法および電力線搬送通信システムは、送信信号が増幅されたのち通信信号に変換されて、対を成す導体例えば電力線に注入される。また、電力線からの入力信号が受信信号に変換されて、この受信信号の信号レベルに応じたレベル検出信号が生成される。ここで、送信信号を増幅する際の利得は、通信状態信号によって通信が行われていないことが示されているときに生成されたレベル検出信号、すなわち外部雑音レベルを示すレベル検出信号に基づき、外部雑音レベルが大きくときには通信信号の信号レベルが大きく、外部雑音レベルが小さいときには通信信号の信号レベルを小さくするように設定される。
【００１２】
また、電力線からの入力信号を変換して得られた受信信号とアンテナからの受信信号の選択を行い、通信状態信号によって通信が行われていないことが示されているときアンテナからの受信信号が選択されて、この選択された受信信号の信号レベルに応じたレベル検出信号が生成される。ここで、送信信号を増幅する際の利得は、通信状態信号によって通信が行われていないことが示されているときに生成されたレベル検出信号、すなわちアンテナで受信された外部雑音のレベルを示すレベル検出信号に基づき、外部雑音レベルが大きくときには通信信号の信号レベルを大きく、外部雑音レベルが小さいときには通信信号の信号レベルが小さくなるように設定される。
【００１３】
さらに、受信信号を所定のレベルに増幅するものとして、この受信信号を所定のレベルに増幅する際の利得に基づいてレベル検出信号が生成される。
【発明の効果】
【００１４】
この発明によれば、送信信号が増幅されたのち通信信号に変換されて、対を成す導体例えば電力線に注入される。また、電力線からの入力信号が受信信号に変換される。この受信信号の信号レベルに応じたレベル検出信号が生成される。また、アンテナが設けられた場合には、通信状態信号で通信が行われていないことが示されているときアンテナからの受信信号が選択されて、この選択された受信信号の信号レベルに応じたレベル検出信号が生成される。ここで、送信信号を増幅する際の利得は、通信状態信号によって通信が行われていないことが示されているときに生成されたレベル検出信号、すなわち外部雑音レベルを示すレベル検出信号に基づき設定される。
【００１５】
このため、レベル検出信号に基づき送信信号を増幅する際の利得を設定して、外部雑音レベルの大きいときには通信信号の信号レベルを大きくして、外部雑音レベルが小さいときには通信信号の信号レベルを小さく抑えることで、既存システムに妨害を与えない範囲で最大限の信号レベルの通信信号を電力線に注入することが可能となり、良好に通信を行うことができる、
【発明を実施するための最良の形態】
【００１６】
以下、図を参照しながら、この発明の実施の一形態について説明する。図１は、対を成す導体例えば電力線を用いて通信を行う通信システムで用いられる通信装置の構成を示している。
【００１７】
通信装置１０は、変調部１１、送信信号増幅部１２、送信信号変換部１３、入力信号変換部１４、受信信号処理部１５、復調部１６、出力レベル制御部１７を有している。
【００１８】
データ処理装置２０で生成された送信データＴＤは、変調部１１に供給される。変調部１１では、送信データＴＤの変調処理を行い、１．７ＭＨｚ（あるいは２ＭＨｚ）〜３０ＭＨｚまでの周波数帯を用いる送信信号Ｓtを生成して送信信号増幅部１２に供給する。ここで、変調部１１は、高速通信が可能となるように、送信データＴＤに対して多値変調、例えば２５６ＱＡＭ(Quadrature Amplitude modulation)や１０２４ＱＡＭ等の変調を行う。ここで、２５６ＱＡＭを用いるものとすると１シンボルが８ビット、１０２４ＱＡＭを用いるものとすると１シンボルが１０ビットとなる。従って、３０ＭＨｚまでの周波数帯を用いて通信を行えば、送信データにヘッダ情報等が付加されても２００Ｍｂｐｓ程度の通信速度を実現することが可能となる。
【００１９】
また、変調部１１は、電力線からの漏洩電磁波による影響を少なくするために、さらに電力線に接続されている家電機器からの雑音やオンオフ動作に伴うインピーダンス変動、放送波の重畳、電力線の分岐による信号の歪等が生じても正しく通信を行うために、二次変調を行うものとしても良い。例えば、多値変調された信号をスペクトラム拡散方式あるいは直交周波数分割多重方式（ＯＦＤＭ:Orthogonal Frequency Division Multiplexing)で二次変調して送信信号Ｓtを生成するものとしても良い。
【００２０】
送信信号増幅部１２は、後述する出力レベル制御部１７から供給された利得制御信号ＧＣに基づいて利得を設定する。また、設定した利得で送信信号Ｓtを増幅して送信信号変換部１３に供給する。送信信号変換部１３は、不平衡回路と平衡回路を接続するための素子であるバランや、差動ドライバ回路等を用いて構成される。この送信信号変換部１３は、供給された送信信号Ｓtを差動方式の通信信号ＳＰtに変換して、対を成す導体３１，３２に差動信号をそれぞれ注入する。この導体３１，３２は、電力線搬送通信システムでは電力線に相当するものである。また、電力線カプラが設けられるときには、電力線カプラを介して導体３１，３２が電力線と接続される。
【００２１】
導体３１、導体３２には、入力信号変換部１４が接続されている。入力信号変換部１４は、送信信号変換部１３と同様に構成されており、導体３１、導体３２から取りだした差動方式の入力信号ＳＰrの平衡−不平衡変換を行い、得られた受信信号Ｓrを受信信号処理部１５に供給する。入力信号ＳＰrは、他の通信装置から通信信号ＳＰtが導体３１および導体３２に注入されたとき、この通信信号ＳＰtに基づいた信号となる。また、通信がいないときには、外部雑音に基づいた信号となる。
【００２２】
受信信号処理部１５は、自動利得制御機能が組み込まれており、受信信号Ｓrを所定の信号レベルに増幅して復調部１６に供給する。また、受信信号処理部１５は、受信信号Ｓrの信号レベルに応じたレベル検出信号ＬＥを生成して出力レベル制御部１７に供給する。例えば、受信信号Ｓrを所定の信号レベルに増幅したときの利得を示す信号を生成して、レベル検出信号ＬＥとして出力レベル制御部１７に供給する。
【００２３】
復調部１６は、送信側の通信装置に設けられている変調部の変調処理に対応した復調処理を行う。この復調処理によって得られた受信データＲＤをデータ処理装置２０に供給する。
【００２４】
出力レベル制御部１７には、データ処理装置２０から、通信が行われているか否かを示す通信状態信号ＭＳが供給される。図２は、通信動作と通信状態信号ＭＳの関係を示しており、データ処理装置２０は、通信が行われている場合、すなわち通信装置１０に送信データＴＤの供給（送信動作）を行っているときや通信装置１０からの受信データＲＤの供給（受信動作）が行われているとき、例えば通信状態信号ＭＳの信号レベルをハイレベル「Ｈ」とする。また、通信が行われていないときには通信状態信号ＭＳの信号レベルをローレベル「Ｌ」として、このローレベル「Ｌ」の期間を外部雑音レベル検出期間とする。
【００２５】
出力レベル制御部１７は、通信状態信号ＭＳと受信信号処理部１５から供給されたレベル検出信号ＬＥに基いて利得制御信号ＧＣを生成して、この利得制御信号ＧＣを送信信号増幅部１２に供給することで、送信信号増幅部１２の利得を設定する。
【００２６】
次に、通信装置の動作について説明する。外部雑音レベルは、図３に示すように通信を行う環境によって異なる。例えば、都市部のように人口密度が高い高雑音地域では外部雑音レベルが高く、田園地方にように人口密度の低い低雑音地域では外部雑音レベルが低くなる。このため、通信装置１０では、既存システムへの影響が少なく良好に通信を行うことができるように、外部雑音レベルに応じて通信信号ＳＰtの信号レベルを調整する。
【００２７】
通信状態信号ＭＳによって通信が行われていないことが示されているとき、受信信号処理部１５に供給される受信信号は外部雑音信号であり、出力レベル制御部１７に供給されるレベル検出信号ＬＥは、外部雑音レベルを示すものとなる。このため、出力レベル制御部１７は、通信状態信号ＭＳによって通信が行われていないことが示されたときに供給されたレベル検出信号ＬＥに基づいて利得制御信号ＧＣを生成して、この利得制御信号ＧＣで送信信号増幅部１２の利得を制御することで、通信信号ＳＰtの信号レベルを調整する。
【００２８】
ここで、出力レベル制御部１７は、外部雑音レベルが大きいとき、導体３１，３２に注入される通信信号ＳＰtの信号レベルが大きくなるように送信信号増幅部１２の利得を設定する。すなわち、出力レベル制御部１７は、送信信号増幅部１２で設定されている利得に応じた信号レベルよりも、通信状態信号ＭＳによって通信が行われていないことが示されているときのレベル検出信号ＬＥによって示された受信信号の信号レベルが大きいときは、送信信号増幅部１２の利得を大きくするように利得制御信号ＧＣを生成して送信信号増幅部１２に供給する。
【００２９】
外部雑音レベルが大きいときに通信信号ＳＰtの信号レベルを大きくした場合、漏洩電磁波が外部雑音よりも小さければ外部雑音に埋もれてしまうので、漏洩電磁波による既存システムへの影響を少なくできる。また、既存システムに妨害を与えない範囲で通信信号ＳＰtの信号レベルを最大限として注入することができる。さらに、既存システムに妨害を与えない範囲で通信信号ＳＰtの信号レベルを最大限として注入することができるので  外部雑音の影響を受け難くなり、良好に通信を行うことができる。
【００３０】
また、出力レベル制御部１７は、外部雑音レベルが小さいとき、導体３１，３２に注入される通信信号ＳＰtの信号レベルを小さく抑えるように送信信号増幅部１２の利得を設定する。すなわち、出力レベル制御部１７は、送信信号増幅部１２で設定されている利得に応じた信号レベルよりも、通信状態信号ＭＳによって通信が行われていないことが示されているときのレベル検出信号ＬＥによって示された受信信号の信号レベルが小さいときは、送信信号増幅部１２の利得を小さくするように利得制御信号ＧＣを生成して送信信号増幅部１２に供給する。
【００３１】
外部雑音レベルが小さいときに通信信号ＳＰtの信号レベルが小さくないと、外部雑音レベルが小さいことから漏洩電磁波による影響が顕著となってしまうからである。また、外部雑音の影響が少なくなるので、通信信号ＳＰtの信号レベルを小さくしても良好に通信を行うことができるからである。
【００３２】
このように、通信が行われていないときに受信信号処理部１５に供給された受信信号の信号レベルに応じて送信信号増幅部１２の利得を制御すれば、外部雑音レベルに応じて通信信号ＳＰtの信号レベルが調整されて、既存システムへの影響が少なく良好に通信を行うことができる。
【００３３】
また、単に送信電力を小さくして漏洩電磁界を低減するものではないことから、直交振幅変調を用いる場合であっても振幅変化の検出が可能となり、対を成す導体例えば電力線を介して伝送効率の高い通信を行うことができる。
【００３４】
ところで、上述の形態では、通信状態信号ＭＳによって通信が行われていないことが示されたときに入力信号変換部１４から受信信号処理部１５に供給された受信信号の信号レベルを検出することで、外部雑音レベルを検出している。しかし、外部雑音レベルの検出は、入力信号変換部１４から供給される受信信号を利用する場合に限られるものではなく、例えばアンテナで得られた受信信号を利用して行うこともできる。図４は、通信装置の他の構成として、アンテナを用いて外部雑音レベルを検出する通信装置１０aを示している。なお、図４において、図１と対応する部分については同一符号を付し、詳細な説明は省略する。
【００３５】
入力信号変換部１４で得られた受信信号Ｓrは、信号選択部１８に供給される。この信号選択部１８には、アンテナ１９から受信信号Ｓatとデータ処理装置２０から通信状態信号ＭＳとが供給される。
【００３６】
信号選択部１８は、通信状態信号ＭＳに基づき、入力信号変換部１４から供給された受信信号Ｓrあるいはアンテナ１９から供給された受信信号Ｓatのいずれかの信号を選択して受信信号処理部１５に供給する。
【００３７】
受信信号処理部１５は、信号選択部１８で選択された受信信号を所定の信号レベルに増幅して復調部１６に供給する。また、受信信号処理部１５は、例えば、受信信号Ｓrを所定の信号レベルに増幅したときの利得を示す信号を生成して、レベル検出信号ＬＥとして出力レベル制御部１７に供給する。
【００３８】
ここで、信号選択部１８は、通信状態信号ＭＳによって通信が行われていないことが示されたとき、アンテナ１９から供給された受信信号Ｓatを選択して受信信号処理部１５に供給する。また、信号選択部１８は、通信状態信号ＭＳによって通信が行われていることが示されたとき、入力信号変換部１４から供給された受信信号Ｓrを選択して受信信号処理部１５に供給する。
【００３９】
出力レベル制御部１７は、通信状態信号ＭＳによって通信が行われていないことが示されたとき、受信信号処理部１５から供給されたレベル検出信号ＬＥに基づいて利得制御信号ＧＣを生成する。さらに、生成した利得制御信号ＧＣを送信信号増幅部１２に供給して、送信信号増幅部１２の利得を制御する。例えば、外部雑音レベルが大きいとき、導体３１，３２に注入される通信信号ＳＰtの信号レベルが大きくなるように、利得制御信号ＧＣによって送信信号増幅部１２の利得を大きくする。また、外部雑音レベルが小さいとき、導体３１，３２に注入される通信信号ＳＰtの信号レベルが小さくなるように、利得制御信号ＧＣによって送信信号増幅部１２の利得を小さくする。
【００４０】
なお、データ処理装置２０は、通信装置１０からの受信データＲＤの供給に基づいて受信動作中であるか否かを検出して通信状態信号ＭＳを生成するものとした場合、アンテナ１９から供給された受信信号Ｓatを信号選択部１８で選択すると、その後に他の通信装置から通信信号ＳＰtが供給されても、この通信信号ＳＰtに基づく受信信号の復調が行われない。従って、受信データＲＤがデータ処理装置２０に供給されず、通信状態信号ＭＳを通信が行われている状態に切り替えることができない。
【００４１】
このため、信号選択部１８は、アンテナ１９から供給された受信信号Ｓatを選択して、この受信信号Ｓatの信号レベルに基づいて送信信号増幅部１２の利得の設定が完了したとき、通信状態信号ＭＳに係らず、入力信号変換部１４から供給された受信信号Ｓrを選択すれば、他の通信装置から通信信号ＳＰtが供給されたとき、通信状態信号ＭＳを通信が行われている状態に切り替えることができる。
【００４２】
このように、通信が行われていないときにアンテナ１９から供給された受信信号Ｓatの信号レベルに応じて送信信号増幅部１２の利得を制御しても、外部雑音レベルに応じて通信信号ＳＰtの信号レベルが調整されて、既存システムへの影響が少なく良好に電力線を介して通信を行うことができる。また、電力線を介して伝送効率の高い通信を行うこともできる。
【００４３】
さらに、上述の形態では、データ処理装置２０で通信状態信号ＭＳを生成して出力レベル制御部１７や信号選択部１８に供給するものとしたが、変調部１１や送信信号増幅部１２、受信信号処理部１５、復調部１６で通信状態信号ＭＳを生成するものとしても良い。例えば、変調部１１は送信データの供給の検出、送信信号増幅部１２は送信信号の供給の検出も行い、送信データや送信信号が供給されているときに送信中であることを示す通信状態信号を生成して出力レベル制御部１７や信号選択部１８に供給する。また、他の通信装置から通信信号が供給されているときの入力信号ＳＰrの信号レベルが外部雑音レベルよりも大きい通信システムの場合、受信信号処理部１５は、受信信号を所定のレベルに増幅したときの利得が予め定めた値よりも小さいために受信信号が通信信号に基づく信号であると判別できるとき、受信中であることを示す通信状態信号を生成して出力レベル制御部１７や信号選択部１８に供給する。また、復調部１６は、受信信号の復調で受信データを得ることができているときには、受信中であることを示す通信状態信号を生成して出力レベル制御部１７や信号選択部１８に供給する。
【００４４】
出力レベル制御部１７や信号選択部１８は、変調部１１等からの通信状態信号に基づき、送信と受信が共に行われていないとき、レベル検出信号ＬＥに基づいて送信信号増幅部１２の利得を設定して、上述のように外部雑音レベルに応じて通信信号の信号レベルを調整する。
【００４５】
このように、通信状態信号ＭＳを通信装置１０の内部で生成すれば、通信状態信号ＭＳを生成する機能を有していないデータ処理装置が通信装置１０に接続されても、既存システムへの影響が少なく良好に通信を行うことができる。
【００４６】
なお、漏洩電磁界を低減する従来の方法も組み合わせて通信を行うものとすれば、さらに漏洩電磁界を低減させることができることは勿論である。
【図面の簡単な説明】
【００４７】
【図１】通信装置の構成を示す図である。
【図２】通信動作と通信状態信号の関係を示す図である。
【図３】外部雑音レベルを示す図である。
【図４】通信装置の他の構成を示す図である。
【図５】従来の通信装置の構成を示す図である。
【符号の説明】
【００４８】
１０，１０a，５０・・・通信装置、１１，５１・・・変調部、１２・・・送信信号増幅部、１３・・・送信信号変換部、１４・・・入力信号変換部、１５・・・受信信号処理部、１６・・・復調部、１７・・・出力レベル制御部、１８・・・信号選択部、１９・・・アンテナ、２０・・・データ処理装置、３１，３２，６１，６２・・・導体、５２・・・増幅部、５３・・・不平衡−平衡変換部、５４・・・送信信号制御部、５５・・・送信信号監視部
【図１】
2006311354.tif 000003
【図２】
2006311354.tif 000004
【図３】
2006311354.tif 000005
【図４】
2006311354.tif 000006
【図５】
2006311354.tif 000007